(57)【要約】【課題】偽造し難く、且つ指定された資格を持った本人が所持していることを簡単に確認できるカード、カード作成・認証システムを提供する。【解決手段】情報を記憶させた記憶部と、記憶部内の任意の一部の情報を欠落させてカードに表示させた面とを備え、面に表示されていない情報をカードの所持者に問い合わせた結果と記憶部内の情報とを照合することによってカードの所持者本人であることを認証できるようにしたカードであって、その情報は暗号化させたり、また電子印章もともに記憶させることによって更に情報の偽造をし難くするようにする。【選択図】図１
2006179016.tif 000002
【特許請求の範囲】
【請求項１】
情報を記憶できるカードにおいて、情報を記憶させた記憶部と、前記記憶部内の任意の一部の情報を欠落させて前記カードに表示させた面とを備え、前記面に表示されていない情報をカードの所持者に問い合わせた結果と前記記憶部内の情報とを照合することによってカードの所有者本人であることを認証できるようにしたことを特徴とする情報を記憶できるカード。
【請求項２】
情報を記憶できるカードにおいて、記憶部として記憶素子を備え、情報をデジタル化するとき暗号化して前記記憶素子に記憶させるようにして、情報の読み取りと情報の改竄を防止できるようにしたことを特徴とする請求項１記載のカード。
【請求項３】
情報を記憶できるカードにおいて、記憶部として記憶素子を備え、情報をデジタル化して前記記憶素子に記憶するとともに、該情報を基に秘密にされた一定の規則にて作り出されたユニーク情報も同時に前記記憶素子に記憶させ、情報の改竄を防止できるようにしたことを特徴とする請求項１記載及び請求項２記載のカード。
【請求項４】
情報を記憶できるカードにおいて、記憶部として記憶素子を備え、情報をデジタル化して前記記憶素子に記憶し、該情報を基に秘密にされた一定の規則にて作り出されたユニーク情報をカードとは別のデータベースに登録するようにしたことを特徴とする請求項１記載及び請求項２記載のカード。
【請求項５】
情報を入力する情報入力部と、前記入力された情報を請求項１記載のカードの記憶部へ出力する情報出力部と、前記入力された情報の任意の一部を欠落させて請求項１記載のカード面に表示させる情報表示部とを備えたことを特徴とするカード作成システム。
【請求項６】
前記情報出力部は、前記情報入力部から入力された情報を基に秘密にされた一定の規則にてユニーク情報を作り出すユニーク情報作成部を付加し、該作成されたユニーク情報も同時に前記カードの記憶部へ書き出すようにしたことを特徴とする請求項５記載のカード作成システム。
【請求項７】
前記情報出力部は、前記ユニーク情報作成部で作成されたユニーク情報を前記カードの記憶部へ書き出す代わりに、データベースに登録するユニーク情報出力部を付加したことを特徴とする請求項６記載のカード作成システム。
【請求項８】
請求項５記載のカード作成システムで作成されたカードの記憶部に記憶された情報を読み取るカード読取部と、該読みとられた情報を表示装置へ表示するカード情報表示部とを備え、前記カード情報表示部から表示された情報とカード面に表示させた情報とから欠落した情報をカードの所持者に問い合わせることによってカードの所有者本人であることを認証できるようにしたことを特徴とするカード認証システム。
【請求項９】
請求項６記載のカード作成システムで作成されたカードの記憶部に記憶された情報を読み取るカード読取部と、該読みとられた情報を表示装置へ表示するカード情報表示部とを有し、前記カード読取部は、前記カードの記憶部から読み取った情報を基に秘密にされた一定の規則にてユニーク情報を作り出すユニーク情報作成部と、前記カードの記憶部に記憶されたユニーク情報を読み取って前記ユニーク情報作成部から得たユニーク情報とを照合するユニーク情報照合部を付加し、該照合結果が一致した時前記カード情報表示部から表示された情報とカード面に表示させた情報とから欠落した情報をカードの所持者に問い合わせることによってカードの所有者本人であることを認証できるようにしたことを特徴とするカード認証システム。
【請求項１０】
請求項７記載のカード作成システムで作成されたカードの記憶部に記憶された情報を読み取るカード読取部と、該読みとられた情報を表示装置へ表示するカード情報表示部とを有し、前記カード読取部は、前記カードの記憶部から読み取った情報を基に秘密にされた一定の規則にてユニーク情報を作り出すユニーク情報作成部と、前記カードの記憶部から得た情報を基にデータベースへ当該カードのユニーク情報を問い合わせるユニーク情報問合部と、前記ユニーク情報作成部から得たュニーク情報と前記ユニーク情報問合部から得たユニーク情報とを照合するユニーク情報照合部とを付加し、該照合結果が一致した時に前記カード情報表示部から表示された情報とカード面に表示させた情報とから欠落した情報をカードの所持者に問い合わせることによってカードの所有者本人であることを認証できるようにしたことを特徴とするカード認証システム。
【請求項１１】
カードの所持者が本人かどうか確認するために、カードの記憶部の情報を読み取り、該情報を情報照合部へ渡し、その照合結果を受けて最終的にカードが本人のものかどうかを検査するカード検査部とを有し、前記カード検査部は、請求項７記載のカード作成システムで作成されたカードの記憶部から情報を読み取るカード読取部と、該情報を前記情報照合部へ渡して照合結果を得て、該結果を表示装置へ表示する照合結果問合部と、前記カード読取部で読みとられた情報を表示装置へ表示するカード情報表示部とからなり、前記情報照合部は、前記照合結果問合部からの情報を基に秘密にされた一定の規則にてユニーク情報を作り出すユニーク情報作成部と、前記照合結果問合部からの情報を基にデータベースヘユニーク情報を問い合わせるユニーク情報問合部と、前記ユニーク情報作成部から得たユニーク情報と前記ユニーク情報問合部から得たュニーク情報とを照合し、その結果を前記照合結果問合せ部に戻すユニーク情報照合部とからなり、前記照合結果表示部でカードの改竄がないとされたとき、前記カード情報表示部から表示された情報とカード面に表示させた情報とから欠落した情報をカードの所持者に問い合わせることによってカードの所有者本人であることを認証できるようにしたことを特徴とするカード認証システム。
【発明の詳細な説明】
【技術分野】
【０００１】
本発明はカードの所持者が本人であるかどうかを認証するためのメモリ付きカード、カード作成システム及びカード認証システムに関する。
【背景技術】
【０００２】
現在では、いろいろなカードが出まわっており、買い物で使う例えばクレジットカード等や身分証明として使う例えば運転免許証、パスポート等がある。例えば、身分証明書等は一般に各種情報と共に写真が貼られており、それを検査する方が貼り付けられた写真とそのカードを所持していた人の顔と見比べることによって本人かどうかを確認している。それらのカードは印刷物であるので必要な情報はすべて記載されており、比較的簡単に偽造されるという欠点を持っている。この問題点は、必要な情報が誰にでもみえる形で印刷されているところに問題があり、単純な紙又はプラスチックベースのカードではこの問題は解決することはできない。
【０００３】
又、銀行などのキャッシュカードやクレジットカード等は裏面に磁気等で情報を記憶しておき、先にカードを作る際に登録してある暗証番号とのマッチングにより認証を行っている。これについても暗証番号を類推しやすく、又記憶容量も少ないため、比較的容易に偽造ができてしまう。この記憶容量不足は、メモリカードやＩＣカードが普及してきており、メガバイト単位の容量を持つことが可能になってきているので緩和されつつある。
【０００４】
一方、近年の暗号の技術の発達に伴い、ディジタル署名や暗号などの技術が発達してきており、この技術を利用してネットワーク関係でのデータの改竄問題や本人であることを認証する技術は向上してきている。例えば、デジタル署名方式では、情報を相手方に送る時には、本文のほかに本文の情報を圧縮処理した上で個人識別情報を密かに織り込んだ圧縮暗号文も一緒に相手方に送る。この圧縮暗号文は公開鍵暗号方式で送るので、受け手は送り主の公開鍵で圧縮文を得て、これを解凍処理し、圧縮されずに送られた本文との比較することによって、本文が改竄されたかを知ることができる。
【発明の開示】
【発明が解決しようとする課題】
【０００５】
現在の身分証明書やカードの偽造を防止するために種々の手段を講じている。例えば、紙幣でのマイクロ文字の採用、クレジットカード等でのホログラム印刷の採用などである。これらはすべて印刷技術が一般的でないということを偽造防止の根拠にしている。しかし技術の発達に伴い偽造が困難といわれたホログラム印刷も偽造されてしまい、変造クレジットカードの被害が絶えなくなっている。これは特定の技術を保持しているかどうかのみに偽造防止を頼っている結果であり、技術を知られたとしても偽造されない方式が望まれている。
【０００６】
本発明は、以上の問題点に鑑み、偽造しにくく、尚且つ、指定された資格を持った本人が所持していることを簡単に確認できるカード並びに作成と検査を行うためのシステムを提供することを目的とする。
【課題を解決するための手段】
【０００７】
かかる課題を解決するために請求項１の発明の情報を記憶できるカードは、情報を記憶させた記憶部と、前記記憶部内の任意の一部の情報を欠落させて前記カードに表示させた面とを備え、前記面に表示されていない情報をカードの所持者に問い合わせた結果と前記記憶部内の情報とを照合することによってカードの所有者本人であることを認証できるようにしたことを特徴とする。  
又、請求項２の発明の情報を記憶できるカードは、記憶部として記憶素子を備え、情報をデジタル化するとき暗号化して前記記憶素子に記憶させるようにして、情報の読み取りと情報の改竄を防止できるようにしたことを特徴とする。  
又、請求項３の発明の情報を記憶できるカードは、記憶部として記憶素子を備え、情報をデジタル化して前記記憶素子に記憶するとともに、該情報を基に秘密にされた一定の規則にて作り出されたユニーク情報も同時に前記記憶素子に記憶させ、情報の改竄を防止できるようにしたことを特徴とする。  
又、請求項４の発明の情報を記憶できるカードは、記憶部として記憶素子を備え、情報をデジタル化して前記記憶素子に記憶し、該情報を基に秘密にされた一定の規則にて作り出されたユニーク情報をカードとは別のデータベースに登録するようにしたことを特徴とする。  
又、請求項５の発明のカード作成システムは、情報を入力する情報入力部と、前記入力された情報を請求項１記載のカードの記憶部へ出力する情報出力部と、前記入力された情報の任意の一部を欠落させて請求項１記載のカード面に表示させる情報表示部とを備えたことを特徴とする。  
又、請求項６の発明のカード作成システムは、請求項５の情報出力部に、情報入力部から入力された情報を基に秘密にされた一定の規則にてユニーク情報を作り出すユニーク情報作成部を付加し、該作成されたユニーク情報も同時に前記カードの記憶部へ書き出すようにしたことを特徴とする。  
又、請求項７の発明のカード作成システムは、請求項５の情報出力部に、ユニーク情報作成部で作成されたユニーク情報を前記カードの記憶部へ書き出す代わりに、データベースに登録するユニーク情報出力部を付加したことを特徴とする。  
又、請求項８の発明のカード認証システムは、請求項５記載のカード作成システムで作成されたカードの記憶部に記憶された情報を読み取るカード読取部と、該読みとられた情報を表示装置へ表示するカード情報表示部とを備え、前記カード情報表示部から表示された情報とカード面に表示させた情報とから欠落した情報をカードの所持者に問い合わせることによってカードの所有者本人であることを認証できるようにしたことを特徴とする。  又、請求項９の発明のカード認証システムは、請求項６記載のカード作成システムで作成されたカードの記憶部に記憶された情報を読み取るカード読取部と、該読みとられた情報を表示装置へ表示するカード情報表示部とを有し、前記カード読取部は、前記カードの記憶部から読み取った情報を基に秘密にされた一定の規則にてユニーク情報を作り出すユニーク情報作成部と、前記カードの記憶部に記憶されたユニーク情報を読み取って前記ユニーク情報作成部から得たユニーク情報とを照合するユニーク情報照合部を付加し、該照合結果が一致した時前記カード情報表示部から表示された情報とカード面に表示させた情報とから欠落した情報をカードの所持者に問い合わせることによってカードの所有者本人であることを認証できるようにしたことを特徴とする。  
又、請求項１０の発明のカード認証システムは、請求項７記載のカード作成システムで作成されたカードの記憶部に記憶された情報を読み取るカード読取部と、該読みとられた情報を表示装置へ表示するカード情報表示部とを有し、前記カード読取部は、前記カードの記憶部から読み取った情報を基に秘密にされた一定の規則にてユニーク情報を作り出すユニーク情報作成部と、前記カードの記憶部から得た情報を基にデータベースへ当該カードのユニーク情報を問い合わせるユニーク情報問合部と、前記ユニーク情報作成部から得たユニーク情報と前記ユニーク情報問合部から得たユニーク情報とを照合するユニーク情報照合部とを付加し、該照合結果が一致した時に前記カード情報表示部から表示された情報とカード面に表示させた情報とから欠落した情報をカードの所持者に問い合わせることによってカードの所有者本人であることを認証できるようにしたことを特徴とする。  
又、請求項１１の発明のカード認証システムは、カードの所持者が本人かどうか確認するために、カードの記憶部の情報を読み取り、該情報を情報照合部へ渡し、その照合結果を受けて最終的にカードが本人のものかどうかを検査するカード検査部とを有し、前記カード検査部は、請求項７記載のカード作成システムで作成されたカードの記憶部から情報を読み取るカード読取部と、該情報を前記情報照合部へ渡して照合結果を得て、該結果を表示装置へ表示する照合結果問合部と、前記カード読取部で読みとられた情報を表示装置へ表示するカード情報表示部とからなり、前記情報照合部は、前記照合結果問合部からの情報を基に秘密にされた一定の規則にてユニーク情報を作り出すユニーク情報作成部と、前記照合結果問合部からの情報を基にデータベースへユニーク情報を問い合わせるユニーク情報問合部と、前記ユニーク情報作成部から得たユニーク情報と前記ユニーク情報問合部から得たユニーク情報とを照合し、その結果を前記照合結果問合せ部に戻すュニーク情報照合部とからなり、前記照合結果表示部でカードの改竄がないとされたとき、前記カード情報表示部から表示された情報とカード面に表示させた情報とから欠落した情報をカードの所持者に問い合わせることによってカードの所有者本人であることを認証できるようにしたことを特徴とする。
【発明の効果】
【０００８】
請求項１、請求項５および請求項８の発明のカード、カード作成システムおよびカード認証システムは、情報をデジタル化しておくので偽造し難くなる。  
また、請求項２の発明のカードは、カードに記憶する情報を暗号化することで、デジタル化した内容を解読される恐れが少なくなる。  
また、請求項３、請求項６および請求項９の発明のカード、カード作成システムおよびカード認証システムは、ユニーク情報として電子印章を付けることにより改竄、偽造を発見しやすくなる。  
また、請求項４、請求項７および請求項１０のカード、カード作成システムおよびカード認証システムは、ユニーク情報としての電子印章を安全な場所へ待避しておき、これとカードの中の情報から作られるユニーク情報とを比較することにより、偽造者に電子印章の作り方を秘蔵することができ、より改竄しにくくなる。  
また、請求項１１の発明のカード認証システムは、ユニーク情報の作成方法をカード毎に変えることができるので、より偽造、改竄ができ難くなる。
【発明を実施するための最良の形態】
【０００９】
以下、本発明を実施例に基づいて説明するが、カードの作成及び認証例として運転免許証を例にして説明する。ここで運転免許証には、氏名、生年月日、本籍、住所、公布日、免許証番号、免許年月日、免許の種類、本人の写真が掲載されているものとする。
【００１０】
（１）請求項１及び請求項５及び請求項８
図１は、カード作成システムの一実施例を表わす概略構成図である。
【００１１】
情報入力部２は、入力装置１から氏名、生年月日等の文字情報や写真等の画像情報を入力させる。入力装置１で、文字情報の入力は、キーボード、マークシート、タッチペン、スキャナー等であってもよいし、画像情報の入力はスキャナーやデジタルカメラからであってもよい。情報出力部３は、入力された情報をカード５の記憶部へ書き出す。情報表示部４は、カード５の表面に記憶部へ書き出した情報の一部を表示しないようにして印刷させる。例えば、生年月日を表示しない例を図２に示す。このカード５は、磁気テープ付きのカード、メモリカード及びＩＣカード、光ディスク等のいずれであっても良い。
【００１２】
図３は、カード認証システムの一実施例を表わす概略構成図である。  
カード読取部６は、カード５の記憶部から情報を読み出す。カードの記憶部から情報を読取る場合、カードとカード認証システムとの結合方式は、コネクタによって直接つながっていても良いし、光通信や無線等の非接触な結合であっても良い。
【００１３】
カード情報表示部７は、読み取った情報を表示装置８へ表示する。図４は、このカード認証システムの実行イメージを示したものである。カード上の記憶部にあるすべての情報を表示装置へ表示し、カードに印刷されていない情報、例えば生年月日を本システムの操作者がカードの所持者に聞くことにより、所持者が本人であることを確認することができる。
【００１４】
特に、写真等の画像情報は圧縮して記憶しておくことにより、メモリ量が節約できる。また、圧縮形式やメモリ上の格納位置の解析を行いにくくして、カードの偽造をやり難くするという効果もある。
【００１５】
（２）請求項２
カード５の記憶部に情報を書き出す際に情報を暗号化することによって、さらに記憶部の内容が何を意味しているかを解析し難くなり、カードの偽造がやり難くなる。カード作成システムの暗号化は、図１の情報出力部３において読み取られた情報を書き出す前に暗号化部３１で実行され、その後でカードに出力するように構成する。又、カード認証システムの暗号の後号化は、図３のカード読取部６においてカードの記憶部から読取られた情報をカード作成時に使用した暗号化方式による復号化作業を復号化部６１で行うように構成する。
【００１６】
他の請求項に示した発明の構成においては、カードの情報出力部及びカード読取部をそれぞれ暗号化部３１と復号化部６１を追加して構成することもできる。
【００１７】
暗号化の方法としてＤＥＳのような暗号を解読する鍵を秘蔵するタイプの暗号方式や、鍵を公開鍵と秘密鍵を用いるＲＡＳのような暗号方式を使って、暗号化・複合化するための鍵をすべてのカードに共通として構成することができる。  
この場合、共通化した鍵をカード作成及びカード認証のシステムで記憶しておき、カードにはこの鍵を使って暗号化した情報を記憶し、復号化のための鍵は記憶しなくても良いのでカード内のデータの改竄は難しくなる。  
又、この鍵はカード作成又はカード認証のための端末に置いておいても良いし、端末とは切り離しておいても良い。
【００１８】
（３）請求項３及び請求項６及び請求項９
カードの改竄をし難くするために、更にカード毎にユニークな値を作成してカードの記憶部に記憶させるようにしても良い。  
これは図１のカード作成システムの情報出力部３において、ユニーク情報作成部３２を設け、入力装置１から情報入力部２によって入力された情報のすべて又はその一部を使ってユニークな値を計算する。この計算式は例えば、暗号を計算するための一方向ハッシュ関数を使えばよい。  
このように計算されたユニーク情報を電子印章としてカード５の記憶部へ、入力された情報とともに記憶させる。図５の例は、運転免許証に対するカードの記憶部の内容のである。
【００１９】
このようにして作成されたユニーク情報を記憶させたカードに関するカード認証システムは、次のように動作させる。  
カード読取部６は、カード５の記憶部から本人に関する情報とユニーク情報とを読み出す。ユニーク情報作成部６２は、カード作成システムでユニーク情報を作成した時と同じ計算式にてもう一度ユニーク情報を作成する。  
ユニーク情報照合部６４は、この作成したユニーク情報とカードの記憶部から読取ったユニーク情報とを照合する。  
その結果が一致していれば、カード内の情報の改竄がなかったことになる。例えば図４のように、『認証』と表示装置へ示すことによって改竄がなかったことを示しても良い。  その後に写真やカードの表面にない情報を所持者に確認して本人であることを確認することができる。
【００２０】
このようにユニーク情報を記憶させておけば、例えば氏名欄が改竄されても、このユニーク情報も計算し直す必要があり、ユニーク情報の計算方法及びそのために使う情報等を秘密にしておくことにより改竄が更に困難となる。
【００２１】
（４）請求項４及び請求項７及び請求項１０
上記（３）のようなカード内にユニーク情報を記憶しておく方法では、そのユニーク情報を解析することによって計算式を類推されてしまう恐れが出てくる。  
このため更にカードの改竄をし難くするためには、このユニーク情報をカードに記憶しない方式とすれば良い。  
このために、図６に示したカード作成システムは、情報出力部３にユニーク情報作成部３２及びユニーク情報出力部３３とを付加するようにした。ユニーク情報作成部３２でのユニーク情報の作成は、（３）で説明した計算方法と同じである。ユニーク情報出力部３３は、この計算されたユニーク情報とそのために使った情報（一部又は全部）と検索のキーとなる情報とをカード作成者の管理するデータベース９へ登録する。
【００２２】
このようなカード作成システムにおいて作られたカードの認証システムは、図７に示した構成を取る。  
カード読取部６は、カード５の記憶部から情報を読取る。ユニーク情報作成部６２は、前述のカード作成システムのユニーク情報作成部３２と同じ情報と同じ計算方法でユニーク情報を作成する。  
又、ユニーク情報問合部６３は、カードから読取られた情報をキーとして、データベース９からユニーク情報を取り出す。  
ユニーク情報照合部６４は、その取り出されたユニーク情報と先に計算されたユニーク情報とを照合し、一致した場合にはカードの内容が改竄されていないと分かる。その結果を表示装置へ図４のように『認証』と表示するようにしても良い。  
その後、カード読取部６で読取られた情報をカード情報表示部７で表示させ、写真やカードの表面に印刷されていない情報を所持者に問い合わせて、本人であることを確認することができる。
【００２３】
尚、このデータベース９は、カード作成システムに直接につながれていても良い。又、図８に示したような専用線、無線などによるネットワーク通信回線を介してカード作成システム及びカード認証システムと結合させるように構成しても良い。
【００２４】
（５）請求項１１
上述のシステムの場合、ユニーク情報を計算するのが各カード認証システムを稼動するための端末としての検査装置である。この検査装置を盗まれてしまうとユニーク情報を計算する計算式が解析され、分かってしまう恐れが生じてくる。  
そこで図９に示したようなカード検査部１０と情報照合部２０を分けるように構成する。  
カード検査部１０は、各カード認証システムを端末毎に稼動させるようにする。  
情報照合部２０は、図８に示したようなネットワーク結合されたデータべースサーバー上で稼動させても良いし、カード作成システムやカード認証システムと直接つなぐように構成していても良い。
【００２５】
カード検査部１０は、カード読取部１１とカード情報表示部７とから構成される。  
カード読取部１１は、カード５の記憶部から情報を読みだし、照合結果問合部１２とカード情報表示部７へその情報を渡す。  
照合結果問合部１２は、読取った情報をキーとして情報照合部２０へ引き渡して、その情報が改竄されていないかどうかを問い合わせ、その結果を表示装置８へ表示させる。  
又、カード情報表示部７は、カード読取部１１がカード５の記憶部から読取った情報を表示装置８へ表示する。その後で、照合結果が改竄されていなければ、写真やカードの表面に印刷されてない情報を所持者に問い合わせて本人であることを確認することができる。
【００２６】
情報照合部２０は、照合結果問合部１２からの情報を使ってユニーク情報を作成（ユニーク情報作成部２１）し、同時にキーとしてデータベース９へカード作成時のユニーク情報を問い合わせる（ユニーク情報問合部２２）。  
これら２つのユニーク情報を照合し、一致した揚合にはカードの内容が改竄されていないと分かる。この結果を照合結果問合部１２へ戻す。
【００２７】
この方式であると、ユニーク情報の計算式をカードの作成及び認証する側で自由に変更すること（カード毎にでも可能）ができるため、更に偽造するのが難しくなる。
【００２８】
（６）その他の構成
暗号化の方法として鍵を公開鍵と秘密鍵を用いるＲＡＳのような暗号方式を使う場合、次のように構成することで鍵をカード毎に変えるようにできる。
【００２９】
カード作成システムは、次のように構成する。  
・カードを作成する時に各カード毎に秘密鍵と公開鍵とを作成する。  
・カードに記憶する情報を公開鍵によって暗号化する。  
・暗号化した情報及び秘密鍵とこのカードとを結び付ける情報（例えば、この公開鍵やカード番号等）とをカードに記憶させる。  
・暗号化した情報及び秘密鍵とこのカードとを結び付ける情報をデータベースへ記憶しておく。
【００３０】
カード認証システムは、次のように構成する。  
・カードからこのカードと秘密鍵とを結び付ける情報（公開鍵やカード番号等）を読取る。  
・この情報を基にデータベースへ照会して秘密鍵を取り出す。  
・この秘密鍵を使って復号化する。  
・復号化した情報を表示させ、カードの表面に記載されていない項目を所持者に問い合わせたり、表示された写真、カードの写真、本人とを見比べることによって本人かどうかを確かめることができる。
【図面の簡単な説明】
【００３１】
【図１】本発明の一実施例を示すカード作成システムの概略構成図である。
【図２】カード表面の印刷例である。
【図３】本発明の一実施例を示すカード認証システムの概略構成図である。
【図４】本発明の一実施例を示すカード認証システムの実行例である。
【図５】カードの記憶部の内容を示すための例である。
【図６】ユニーク情報をＤＢとして持つカード作成システムの概略構成図である。
【図７】ユニーク情報をＤＢとして持つカード認証システムの概略構成図である。
【図８】本発明をネットワーク対応としたカード作成・認証システムの概略構成図である。
【図９】カード検査部とユニーク情報の情報照合部とを分離させて構成したカード認証システムの概略構成図である。
【符号の説明】
【００３２】
１  入力装置
２  情報入力部
３  情報出力部
４  情報表示部
５  カード
６  カード読取部
７  カード情報表示部
８  表示装置
９  データベース
【図１】
2006179016.tif 000003
【図２】
2006179016.tif 000004
【図３】
2006179016.tif 000005
【図４】
2006179016.tif 000006
【図５】
2006179016.tif 000007
【図６】
2006179016.tif 000008
【図７】
2006179016.tif 000009
【図８】
2006179016.tif 000010
【図９】
2006179016.tif 000011
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
表面に設けられた表示部と内部に設けられた記録可能な記録部とを少なくとも有するカードにユーザに関する情報を記録して前記ユーザに固有なカードを作成するカード作成システムにおいて、
ユーザに関する文字情報とユーザに関する少なくとも２つ以上の画像情報とを含むユーザに関する情報を受け付ける受付手段と、
前記ユーザに関する画像情報のうち１の画像情報と、前記ユーザに関する文字情報とを前記表示部に記録する表示情報記録手段と、
前記ユーザに関する画像情報のうち、前記表示部に記録された画像情報以外の画像情報を少なくとも前記記録部に記録する記録手段と、
前記受け付けたユーザに関する情報の任意の一部に基づいて、カードの改ざんの有無を判定するためのユニーク情報を生成するユニーク情報作成手段と、
前記作成されたユニーク情報と該ユニーク情報を作成するために用いられた前記ユーザに関する情報の任意の一部の情報とをデータベースに記憶する記憶手段とを備えることを特徴とするカード作成システム。
【請求項２】
前記ユニーク情報作成手段は、前記受け付けたユーザに関する情報の任意の一部の情報から、秘密にされた特定の規則に基づいて前記ユニーク情報を生成することを特徴とする請求項１記載のカード作成システム。
【請求項３】
前記記憶手段は、さらに、前記秘密にされた特定の規則を前記データベースに記憶することを特徴とする請求項２記載のカード作成システム。
【請求項４】
カードの所有者を認証するカード認証システムにおいて、
表面に設けられた表示部にユーザに関する文字情報とユーザに関する少なくとも１つの画像情報とが記録され、内部に設けられた記録部に前記表示部に記録された画像情報以外の画像情報が少なくとも記録されているカードから、前記記録部に記録された情報を読み取ってユーザに関する情報を取得する読取手段と、
ユーザに関する情報の所定の一部の情報に基づいて生成された前記カードの改ざんの有無を判定するためのユニーク情報と前記ユニーク情報を生成するための秘密にされた特定の規則とが予め記憶されたデータベースと、
前記データベースから読み出した秘密にされた特定の規則に基づいて、前記読取手段で読み取ったユーザに関する情報の所定の一部の情報からユニーク情報を生成するユニーク情報生成手段と、
前記生成されたユニーク情報と、前記データベースに記憶されたユニーク情報とを照合する照合手段と、
前記照合手段における照合結果が一致した場合に、前記記録部から読み取った前記表示部に記録された画像情報とは異なる画像を用いて前記カードの所有者の認証を行う認証手段とを備えることを特徴とするカード認証システム。
【請求項５】
前記カード認証システムは、さらに、前記照合手段における照合結果が一致した場合に、前記カードが改ざんされていないと判断し、カードが改ざんされていない旨の結果を報知する報知手段を備えることを特徴とする請求項４記載のカード認証システム。
【手続補正３】
【補正対象書類名】明細書
【補正対象項目名】０００１
【補正方法】変更
【補正の内容】
【０００１】
本発明はカードの所持者が本人であるかどうかを認証するためのメモリ付きカード作成システム及びカード認証システムに関する。
【手続補正４】
【補正対象書類名】明細書
【補正対象項目名】０００６
【補正方法】変更
【補正の内容】
【０００６】
本発明は、以上の問題点に鑑み、偽造しにくく、尚且つ、指定された資格を持った本人が所持していることを簡単に確認できるカードの作成と検査を行うためのシステムを提供することを目的とする。
【手続補正５】
【補正対象書類名】明細書
【補正対象項目名】０００７
【補正方法】変更
【補正の内容】
【０００７】
前記目的を解決するための本発明の第１の手段は、表面に設けられた表示部と内部に設けられた記録可能な記録部とを少なくとも有するカードにユーザに関する情報を記録して前記ユーザに固有なカードを作成するカード作成システムにおいて、ユーザに関する文字情報とユーザに関する少なくとも２つ以上の画像情報とを含むユーザに関する情報を受け付ける受付手段と、前記ユーザに関する画像情報のうち１の画像情報と、前記ユーザに関する文字情報とを前記表示部に記録する表示情報記録手段と、前記ユーザに関する画像情報のうち、前記表示部に記録された画像情報以外の画像情報を少なくとも前記記録部に記録する記録手段と、前記受け付けたユーザに関する情報の任意の一部に基づいて、カードの改ざんの有無を判定するためのユニーク情報を生成するユニーク情報作成手段と、前記作成されたユニーク情報と該ユニーク情報を作成するために用いられた前記ユーザに関する情報の任意の一部の情報とをデータベースに記憶する記憶手段とを備えることを特徴とする。
また、本発明の第２の手段は、第１の手段において、前記ユニーク情報作成手段は、前記受け付けたユーザに関する情報の任意の一部の情報から、秘密にされた特定の規則に基づいて前記ユニーク情報を生成することを特徴とする。
また、本発明の第３の手段は、第２の手段において、前記記憶手段は、さらに、前記秘密にされた特定の規則を前記データベースに記憶することを特徴とする。
また、本発明の第４の手段は、カードの所有者を認証するカード認証システムにおいて、表面に設けられた表示部にユーザに関する文字情報とユーザに関する少なくとも１つの画像情報とが記録され、内部に設けられた記録部に前記表示部に記録された画像情報以外の画像情報が少なくとも記録されているカードから、前記記録部に記録された情報を読み取ってユーザに関する情報を取得する読取手段と、ユーザに関する情報の所定の一部の情報に基づいて生成された前記カードの改ざんの有無を判定するためのユニーク情報と前記ユニーク情報を生成するための秘密にされた特定の規則とが予め記憶されたデータベースと、前記データベースから読み出した秘密にされた特定の規則に基づいて、前記読取手段で読み取ったユーザに関する情報の所定の一部の情報からユニーク情報を生成するユニーク情報生成手段と、前記生成されたユニーク情報と、前記データベースに記憶されたユニーク情報とを照合する照合手段と、前記照合手段における照合結果が一致した場合に、前記記録部から読み取った前記表示部に記録された画像情報とは異なる画像を用いて前記カードの所有者の認証を行う認証手段とを備えることを特徴とする。
また、本発明の第５の手段は、第４の手段において、前記カード認証システムは、さらに、前記照合手段における照合結果が一致した場合に、前記カードが改ざんされていないと判断し、カードが改ざんされていない旨の結果を報知する報知手段を備えることを特徴とする。
また、本発明の第６の手段による情報を記憶できるカードは、情報を記憶させた記憶部と、前記記憶部内の任意の一部の情報を欠落させて前記カードに表示させた面とを備え、前記面に表示されていない情報をカードの所持者に問い合わせた結果と前記記憶部内の情報とを照合することによってカードの所有者本人であることを認証できるようにしたことを特徴とする。
また、本発明の第７の手段による情報を記憶できるカードは、記憶部として記憶素子を備え、情報をデジタル化するとき暗号化して前記記憶素子に記憶させるようにして、情報の読み取りと情報の改竄を防止できるようにしたことを特徴とする。
また、本発明の第８の手段による情報を記憶できるカードは、記憶部として記憶素子を備え、情報をデジタル化して前記記憶素子に記憶するとともに、該情報を基に秘密にされた一定の規則にて作り出されたユニーク情報も同時に前記記憶素子に記憶させ、情報の改竄を防止できるようにしたことを特徴とする。
また、本発明の第９の手段による情報を記憶できるカードは、記憶部として記憶素子を備え、情報をデジタル化して前記記憶素子に記憶し、該情報を基に秘密にされた一定の規則にて作り出されたユニーク情報をカードとは別のデータベースに登録するようにしたことを特徴とする。
また、本発明の第１０の手段によるカード作成システムは、情報を入力する情報入力部と、前記入力された情報を第６の手段におけるカードの記憶部へ出力する情報出力部と、前記入力された情報の任意の一部を欠落させて第６の手段におけるカード面に表示させる情報表示部とを備えたことを特徴とする。
また、本発明の第１１の手段によるカード作成システムは、第１０の手段における情報出力部に、情報入力部から入力された情報を基に秘密にされた一定の規則にてユニーク情報を作り出すユニーク情報作成部を付加し、該作成されたユニーク情報も同時に前記カードの記憶部へ書き出すようにしたことを特徴とする。
また、本発明の第１２の手段によるカード作成システムは、第１０の手段における情報出力部に、ユニーク情報作成部で作成されたユニーク情報を前記カードの記憶部へ書き出す代わりに、データベースに登録するユニーク情報出力部を付加したことを特徴とする。
また、本発明の第１３の手段によるカード認証システムは、第１０の手段によるカード作成システムで作成されたカードの記憶部に記憶された情報を読み取るカード読取部と、該読みとられた情報を表示装置へ表示するカード情報表示部とを備え、前記カード情報表示部から表示された情報とカード面に表示させた情報とから欠落した情報をカードの所持者に問い合わせることによってカードの所有者本人であることを認証できるようにしたことを特徴とする。
また、本発明の第１４の手段によるカード認証システムは、第１１の手段によるカード作成システムで作成されたカードの記憶部に記憶された情報を読み取るカード読取部と、該読みとられた情報を表示装置へ表示するカード情報表示部とを有し、前記カード読取部は、前記カードの記憶部から読み取った情報を基に秘密にされた一定の規則にてユニーク情報を作り出すユニーク情報作成部と、前記カードの記憶部に記憶されたユニーク情報を読み取って前記ユニーク情報作成部から得たユニーク情報とを照合するユニーク情報照合部を付加し、該照合結果が一致した時前記カード情報表示部から表示された情報とカード面に表示させた情報とから欠落した情報をカードの所持者に問い合わせることによってカードの所有者本人であることを認証できるようにしたことを特徴とする。
また、本発明の第１５の手段によるカード認証システムは、第１２の手段によるカード作成システムで作成されたカードの記憶部に記憶された情報を読み取るカード読取部と、該読みとられた情報を表示装置へ表示するカード情報表示部とを有し、前記カード読取部は、前記カードの記憶部から読み取った情報を基に秘密にされた一定の規則にてユニーク情報を作り出すユニーク情報作成部と、前記カードの記憶部から得た情報を基にデータベースへ当該カードのユニーク情報を問い合わせるユニーク情報問合部と、前記ユニーク情報作成部から得たユニーク情報と前記ユニーク情報問合部から得たユニーク情報とを照合するユニーク情報照合部とを付加し、該照合結果が一致した時に前記カード情報表示部から表示された情報とカード面に表示させた情報とから欠落した情報をカードの所持者に問い合わせることによってカードの所有者本人であることを認証できるようにしたことを特徴とする。
また、本発明の第１６の手段によるカード認証システムは、カードの所持者が本人かどうか確認するために、カードの記憶部の情報を読み取り、該情報を情報照合部へ渡し、その照合結果を受けて最終的にカードが本人のものかどうかを検査するカード検査部とを有し、前記カード検査部は、第１２の手段によるカード作成システムで作成されたカードの記憶部から情報を読み取るカード読取部と、該情報を前記情報照合部へ渡して照合結果を得て、該結果を表示装置へ表示する照合結果問合部と、前記カード読取部で読みとられた情報を表示装置へ表示するカード情報表示部とからなり、前記情報照合部は、前記照合結果問合部からの情報を基に秘密にされた一定の規則にてユニーク情報を作り出すユニーク情報作成部と、前記照合結果問合部からの情報を基にデータベースへユニーク情報を問い合わせるユニーク情報問合部と、前記ユニーク情報作成部から得たユニーク情報と前記ユニーク情報問合部から得たユニーク情報とを照合し、その結果を前記照合結果問合せ部に戻すュニーク情報照合部とからなり、前記照合結果表示部でカードの改竄がないとされたとき、前記カード情報表示部から表示された情報とカード面に表示させた情報とから欠落した情報をカードの所持者に問い合わせることによってカードの所有者本人であることを認証できるようにしたことを特徴とする。
【手続補正６】
【補正対象書類名】明細書
【補正対象項目名】０００８
【補正方法】変更
【補正の内容】
【０００８】
本発明によれば、情報をデジタル化しておくので偽造し難くなり、また、カードに記憶する情報を暗号化することで、デジタル化した内容を解読される恐れが少なくなる。
また、本発明によれば、ユニーク情報として電子印章を付けることにより改竄、偽造を発見しやすくなり、ユニーク情報としての電子印章を安全な場所へ待避しておき、これとカードの中の情報から作られるユニーク情報とを比較することにより、偽造者に電子印章の作り方を秘蔵することができ、より改竄しにくくなる。
さらに、本発明によれば、ユニーク情報の作成方法をカード毎に変えることができるので、より偽造、改竄ができ難くなる。
【手続補正７】
【補正対象書類名】明細書
【補正対象項目名】００１０
【補正方法】変更
【補正の内容】
【００１０】
図１は、カード作成システムの一実施例を表わす概略構成図である。
【手続補正８】
【補正対象書類名】明細書
【補正対象項目名】００１５
【補正方法】変更
【補正の内容】
【００１５】
カード５の記憶部に情報を書き出す際に情報を暗号化することによって、さらに記憶部の内容が何を意味しているかを解析し難くなり、カードの偽造がやり難くなる。カード作成システムの暗号化は、図１の情報出力部３において読み取られた情報を書き出す前に暗号化部３１で実行され、その後でカードに出力するように構成する。又、カード認証システムの暗号の後号化は、図３のカード読取部６においてカードの記憶部から読取られた情報をカード作成時に使用した暗号化方式による復号化作業を復号化部６１で行うように構成する。
【手続補正９】
【補正対象書類名】明細書
【補正対象項目名】００１８
【補正方法】変更
【補正の内容】
【００１８】
カードの改竄をし難くするために、更にカード毎にユニークな値を作成してカードの記憶部に記憶させるようにしても良い。
これは図１のカード作成システムの情報出力部３において、ユニーク情報作成部３２を設け、入力装置１から情報入力部２によって入力された情報のすべて又はその一部を使ってユニークな値を計算する。この計算式は例えば、暗号を計算するための一方向ハッシュ関数を使えばよい。
このように計算されたユニーク情報を電子印章としてカード５の記憶部へ、入力された情報とともに記憶させる。図５の例は、運転免許証に対するカードの記憶部の内容のである。
【手続補正１０】
【補正対象書類名】明細書
【補正対象項目名】００２１
【補正方法】変更
【補正の内容】
【００２１】
上記のようなカード内にユニーク情報を記憶しておく方法では、そのユニーク情報を解析することによって計算式を類推されてしまう恐れが出てくる。
このため更にカードの改竄をし難くするためには、このユニーク情報をカードに記憶しない方式とすれば良い。
このために、図６に示したカード作成システムは、情報出力部３にユニーク情報作成部３２及びユニーク情報出力部３３とを付加するようにした。ユニーク情報作成部３２でのユニーク情報の作成は、（３）で説明した計算方法と同じである。ユニーク情報出力部３３は、この計算されたユニーク情報とそのために使った情報（一部又は全部）と検索のキーとなる情報とをカード作成者の管理するデータベース９へ登録する。
【手続補正１１】
【補正対象書類名】明細書
【補正対象項目名】００２４
【補正方法】変更
【補正の内容】
【００２４】
上述のシステムの場合、ユニーク情報を計算するのが各カード認証システムを稼動するための端末としての検査装置である。この検査装置を盗まれてしまうとユニーク情報を計算する計算式が解析され、分かってしまう恐れが生じてくる。
そこで図９に示したようなカード検査部１０と情報照合部２０を分けるように構成する。  カード検査部１０は、各カード認証システムを端末毎に稼動させるようにする。
情報照合部２０は、図８に示したようなネットワーク結合されたデータべースサーバー上で稼動させても良いし、カード作成システムやカード認証システムと直接つなぐように構成していても良い。
【手続補正１２】
【補正対象書類名】明細書
【補正対象項目名】００２８
【補正方法】変更
【補正の内容】
【００２８】
その他の構成
暗号化の方法として鍵を公開鍵と秘密鍵を用いるＲＡＳのような暗号方式を使う場合、次のように構成することで鍵をカード毎に変えるようにできる。